(57)【要約】【課題】  企業や個人などの利用者が、その記念日に関する情報を容易に拡散することができる、記念日動画提供システムを提供すること。【解決手段】  記念日動画提供サーバ装置と、一つ又は複数の記念日動画発注端末装置と、一つ又は複数の記念日動画閲覧端末装置と、を備える記念日動画提供システムであって、  前記記念日動画提供サーバ装置は、記念日情報受信手段と、動画ページ作成手段と、動画ページ情報通知手段と、動画ページ公開手段と、記念日情報記憶部と、素材動画情報記憶部と、動画ページ情報記憶部と、を有し、  前記動画ページ作成手段は、記念日情報記録手段と、素材動画選択手段と、ＵＲＬ生成手段と、動画ページ情報記録手段と、を有することを特徴とする。【選択図】図１
2016031683.tif 000002
【特許請求の範囲】
【請求項１】
記念日動画提供サーバ装置と、一つ又は複数の記念日動画発注端末装置と、一つ又は複数の記念日動画閲覧端末装置と、を備える記念日動画提供システムであって、
前記記念日動画提供サーバ装置は、記念日情報受信手段と、動画ページ作成手段と、動画ページ情報通知手段と、動画ページ公開手段と、記念日情報記憶部と、素材動画情報記憶部と、動画ページ情報記憶部と、を有し、
前記動画ページ作成手段は、記念日情報記録手段と、素材動画選択手段と、ＵＲＬ生成手段と、動画ページ情報記録手段と、を有すること
を特徴とする、記念日動画提供システム。
【請求項２】
前記記念日情報記憶部が、記念日の日付と、記念日の名称と、記念日の申請者名と、を有することを特徴とする、請求項１に記載の記念日動画提供システム。
【請求項３】
前記動画ページ情報記憶部が、前記記念日情報記憶部に記憶された記念日に関する情報と、前記素材動画情報記憶部に記憶された該記念日に関連付けられた素材動画情報と、前記ＵＲＬ生成手段によって生成されたＵＲＬ情報と、を有することを特徴とする、請求項１または請求項２に記載の記念日動画提供システム。
【請求項４】
前記動画ページ公開手段が、前記ＵＲＬ情報に基づいたＵＲＬにおいて、前記記念日情報記憶部に記憶された記念日に関する情報と、前記素材動画情報記憶部に記憶された該記念日に関連付けられた素材動画と、を合成表示することを特徴とする、請求項３に記載の記念動画提供システム。
【請求項５】
前記ＵＲＬ生成手段によって生成されるＵＲＬが、ランダムな文字列情報を含むことを特徴とする、請求項１から請求項４の何れかに記載の記念日動画提供システム。
【請求項６】
前記記念日情報記憶部が、記念日を通知する日時情報を有し、
記念日通知設定手段と、記念日通知手段と、を備えることを特徴とする、請求項１から請求項５の何れかに記載の記念日動画提供システム。
【請求項７】
前記動画ページ公開手段によって公開される動画像ファイルが、前記記念日動画閲覧端末の種別によって決定される、複数の形式で配信されることを特徴とする、請求項１から請求項６の何れかに記載の記念日動画提供システム。
【請求項８】
記念日動画提供サーバ装置による記念日動画提供方法であって、
記念日動画発注端末装置より送信された、記念日情報を受信するステップと、
動画ページを作成するステップと、
作成した動画ページ情報を記念日動画発注端末装置へと通知するステップと、
作成した動画ページを公開するステップと、を備え、
前記動画ページを作成するステップは、該記念日情報を記念日情報記憶部へと記録するステップと、素材動画の選択を受け付けるステップと、ＵＲＬを生成するステップと、動画ページ情報を動画ページ情報記憶部へと記録するステップとを有し、
前記動画ページを公開するステップは、記念日動画閲覧端末装置より動画ページ公開の要求を受け付けるステップと、該動画ページの情報を参照するステップと、該動画ページに関連付けられた素材動画情報を参照するステップと、該動画ページに関連付けられた記念日情報を参照するステップと、前記素材動画および前記記念日情報により生成した動画ページを生成するステップと、該動画ページに関連付けられたＵＲＬにて、記念日動画閲覧端末装置へと前記動画ページを公開するステップと、を有すること
を特徴とする、記念日動画提供方法。
【請求項９】
記念日動画の作成および公開を行う記念日動画提供サーバ装置であって、
記念日情報受信手段と、動画ページ作成手段と、動画ページ情報通知手段と、動画ページ公開手段と、を備え、
前記動画ページ作成手段が、記念日情報記録手段と、素材動画選択手段と、ＵＲＬ生成手段と、動画ページ情報記録手段と、を有すること
を特徴とする、記念日動画提供サーバ装置。
【請求項１０】
記念日動画の作成および公開を行う記念日動画提供プログラムであって、
コンピュータを、記念日情報受信手段と、記念日情報記録手段と、素材動画選択手段と、ＵＲＬ生成手段と、動画ページ情報記録手段と、動画ページ情報通知手段と、動画ページ公開手段として機能させること
を特徴とする、記念日動画提供プログラム。
【発明の詳細な説明】
【技術分野】
【０００１】
本発明は、ユーザの記念日に関連する、動画像を含むＷｅｂページを生成し、インターネット上で公開する手段に関する。
【背景技術】
【０００２】
個人や企業は、その誕生日や創立記念日などのような、様々な記念日を持つ。
【０００３】
個人や企業の持つ記念日に、当事者に対して、他者から祝いの言葉やメッセージ、贈答品などを贈ることは、両者が良好な関係を築く上で非常に重要である。
【０００４】
特許文献１には、そのような記念日に関するデータを事前に登録し、前記記念日が近づいた際に通知する、リマインダ―に関する技術が公開されている。
【０００５】
また、特許文献２には、記念日の当事者の端末から得た、静止画像などのデータに基づいて、他者の端末にて該記念日に関連した動画像ファイルを生成し、当事者の端末へと送信する技術が公開されている。
【先行技術文献】
【特許文献】
【０００６】
【特許文献１】特開２００３−３３１１８１号公報
【特許文献２】特開２０１２−２３５３０４号公報
【発明の概要】
【発明が解決しようとする課題】
【０００７】
特許文献１において公開されている技術は、記念日に関するデータを登録した者に対して通知を行う技術である。また、特許文献２において公開されている技術では、事前に記念日の当事者の端末から、特定の他者の端末へ該記念日に関するデータを送信する必要がある。
【０００８】
そのため、企業が自社の記念日に関する情報を不特定多数の対象へと拡散する場合や、個人がＳＮＳなどを利用して自身の記念日に関する情報を拡散することは難しい。
【０００９】
そこで、本発明は、企業や個人などの利用者が、その記念日に関する情報を容易に拡散することができる、記念日動画提供システムを提供することを課題とする。
【課題を解決するための手段】
【００１０】
上記課題を解決するため、本発明に係る記念日動画提供システムは、
記念日動画提供サーバ装置と、一つ又は複数の記念日動画発注端末装置と、一つ又は複数の記念日動画閲覧端末装置と、を備える記念日動画提供システムであって、
前記記念日動画提供サーバ装置は、記念日情報受信手段と、動画ページ作成手段と、動画ページ情報通知手段と、動画ページ公開手段と、記念日情報記憶部と、素材動画情報記憶部と、動画ページ情報記憶部と、を有し、
前記動画ページ作成手段は、記念日情報記録手段と、素材動画選択手段と、ＵＲＬ生成手段と、動画ページ情報記録手段と、を有することを特徴とする。
【発明の効果】
【００１１】
本発明によれば、ＵＲＬ生成手段によって生成されたＵＲＬにて、発注された記念日動画を公開することにより、発注者が前記ＵＲＬを任意の手段で拡散することによって、該記念日に関する情報を拡散することができる。
【００１２】
本発明の好ましい形態では、前記記念日情報記憶部が、記念日の日付と、記念日の名称と、記念日の申請者名と、を有することを特徴とする。
このように、記念日の日付や名称などを記憶しておくことにより、記念日に関する情報を効果的に拡散するための記念日動画を生成することができる。
【００１３】
本発明の好ましい形態では、前記動画ページ情報記憶部が、前記記念日情報記憶部に記憶された記念日に関する情報と、前記素材動画情報記憶部に記憶された該記念日に関連付けられる素材動画情報と、前記ＵＲＬ生成手段によって生成されたＵＲＬ情報と、を有することを特徴とする。
このように、前記動画ページ情報にて、前記記念日情報と前記素材動画情報とを関連付けることにより、それぞれの記念日にあった動画像ファイルを指定することができる。
【００１４】
本発明の好ましい形態では、前記動画ページ公開手段が、前記ＵＲＬ情報に基づいたＵＲＬにおいて、前記記念日情報記憶部に記憶された記念日に関する情報と、前記素材動画情報記憶部に記憶された該記念日に関連付けられた素材動画と、を合成表示することを特徴とする。
このように、素材動画と該記念日の情報とを合成表示することで、素材動画を複数の異なる記念日に関連する動画ページで利用することができ、動画像ファイルの保存に係るデータ領域を削減することができる。
【００１５】
前記ＵＲＬ生成手段によって生成されるＵＲＬが、ランダムな文字列情報を含むことを特徴とする。
このように、動画ページを公開するＵＲＬにランダムな文字列を含むことにより、記念日動画の発注者が該動画ページのＵＲＬを拡散した対象以外の閲覧者による、該動画ページの閲覧を困難にすることができる。
【００１６】
本発明の好ましい形態では、
前記記念日情報記憶部が、記念日を通知する日時情報を有し、
記念日通知設定手段と、記念日通知手段と、を備えることを特徴とする。
これにより、記念日を通知し、贈答品の購買などをリマインドする効果が期待できる。
【００１７】
本発明の好ましい形態では、前記動画ページ公開手段によって公開される動画像ファイルが、前記記念日動画閲覧端末の種別によって決定される、複数の形式で配信されることを特徴とする。
このように、記念日動画閲覧端末の種別によって動画像ファイルの形式を複数用意することにより、より多くの種類の端末を記念日動画閲覧端末として使用することができる。
【００１８】
本発明に係る記念日動画提供方法は、
記念日動画発注端末装置より送信された、記念日情報を受信するステップと、
動画ページを作成するステップと、
作成した動画ページ情報を記念日動画発注端末装置へと通知するステップと、
作成した動画ページを公開するステップと、を備え、
前記動画ページを作成するステップは、該記念日情報を記念日情報記憶部へと記録するステップと、素材動画の選択を受け付けるステップと、ＵＲＬを生成するステップと、動画ページ情報を動画ページ情報記憶部へと記録するステップとを有し、
前記動画ページを公開するステップは、記念日動画閲覧端末装置より動画ページ公開の要求を受け付けるステップと、該動画ページの情報を参照するステップと、該動画ページに関連付けられた素材動画情報を参照するステップと、該動画ページに関連付けられた記念日情報を参照するステップと、前記素材動画および前記記念日情報により生成した動画ページを生成するステップと、該動画ページに関連付けられたＵＲＬにて、記念日動画閲覧端末装置へと前記動画ページを公開するステップと、を有することを特徴とする。
このような方法により、本発明に係る記念日動画提供システムを有効に活用できる。
【００１９】
本発明に係る記念日動画提供サーバ装置は、
記念日情報受信手段と、動画ページ作成手段と、動画ページ情報通知手段と、動画ページ公開手段と、を備え、
前記動画ページ作成手段が、記念日情報記録手段と、素材動画選択手段と、ＵＲＬ生成手段と、動画ページ情報記録手段と、を有することを特徴とする。
このように記念日動画提供サーバ装置を構成することで、本発明を有効に実施できる。
【００２０】
本発明に係る記念日動画提供プログラムは、
記念日情報受信手段と、動画ページ作成手段と、動画ページ情報通知手段と、動画ページ公開手段と、を備え、
前記動画ページ作成手段が、記念日情報記録手段と、素材動画選択手段と、ＵＲＬ生成手段と、動画ページ情報記録手段と、を有することを特徴とする。
このような記念日動画提供プログラムをサーバ装置に備えることにより、本発明を有効に実施できる。
【図面の簡単な説明】
【００２１】
【図１】本発明の一実施形態のブロック図である。
【図２】本発明の一実施形態の記念日情報記憶部のデータ構造である。
【図３】本発明の一実施形態の素材動画情報記憶部のデータ構造である。
【図４】本発明の一実施形態の動画ページ情報記憶部のデータ構造である。
【図５】本発明の一実施形態の動画ページ作成ステップのフローチャートである。
【図６】本発明の一実施形態の動画ページ公開ステップのフローチャートである。
【図７】本発明の一実施形態の動画ページの表示例である。
【発明を実施するための形態】
【００２２】
以下、本発明の一実施形態について図面を参照して説明する。
図１は本発明の一実施形態を表す、ブロック図である。
【００２３】
本実施形態に係る記念日動画提供システムは、記念日動画提供サーバ装置１と、複数の記念日動画発注端末装置２と、記念日動画閲覧端末装置３とが、ネットワーク４を介して接続されて構成される。
【００２４】
記念日動画提供サーバ装置１は、記念日に関する情報を受信する記念日情報受信手段１１と、該記念日に関連した動画ページを作成する動画ページ作成手段１２と、作成した動画ページのＵＲＬ情報などを発注者へと通知する動画ページ情報通知手段１３と、該動画ページを閲覧者へと公開する動画ページ公開手段１４と、該記念日に関する情報を記憶する記念日情報記憶部１５と、動画ページ作成に利用する素材動画を記憶する素材動画情報記憶部１６と、作成した動画ページに関する情報を記憶する動画ページ情報記憶部１７と、該記念日の通知に関する設定を行う記念日通知設定手段１８と、記念日通知設定に従って記念日の通知を行う記念日通知手段１９と、を備える。
【００２５】
さらに、動画ページ作成手段１２は、記念日情報受信手段１１が受信した記念日情報を記念日情報記憶部１５へと記録する記念日情報記録手段１２１と、素材動画情報記憶部１６より動画ページに利用する素材動画を選択する素材動画選択手段１２２と、動画ページに関連付けるＵＲＬを生成するＵＲＬ生成手段１２３と、ＵＲＬ生成手段１２３にて生成されたＵＲＬと、記念日情報記録手段１２１によって記念日情報記憶部１５へと記録された記念日情報、および素材動画選択手段１２２によって素材動画情報記憶部１６より選択された素材動画情報のそれぞれを関連付け、動画ページ情報記憶部１７へと記録する動画ページ情報記録手段１２４と、を有する。
【００２６】
記念日動画提供サーバ装置１は、演算装置、主記憶装置、補助記憶装置、入出力装置などを備えた、汎用的なサーバ装置である。
【００２７】
また、記念日動画発注端末装置２と記念日動画閲覧端末装置３とは、演算装置、主記憶装置、補助記憶装置、入出力装置などを備えた、パーソナルコンピュータや、携帯電話、スマートフォンなど、種々の機器を利用することが好ましい。これにより、より多くの閲覧者に対して、動画ページを拡散することができる。
【００２８】
記念日動画発注端末装置２による記念日動画の発注処理や、記念日動画閲覧端末装置３による記念日動画の閲覧は、各端末装置に備えられた汎用的なＷｅｂブラウザを用いて行う。
または、本発明に係る記念日動画提供システムの利用に特化した、専用のプログラムを、各端末装置に備える構成としてもよい。
【００２９】
ここで、図２から図４は、本実施形態における記念日情報記憶部１５、素材動画情報記憶部１６、動画ページ情報記憶部１７の、それぞれのデータ構造を示した図である。
【００３０】
記念日情報記憶部１５は、図２に示すように、記念日を一意に識別するための記念日ＩＤや、発注者、日付、名称、メールアドレス、通知日時といった、記念日に関する情報を有している。
また、発注者と異なる記念日の当事者や、記念日に関連した位置情報、動画ページに表示するためのメッセージなど、さらなる付帯情報を有してもよい。
【００３１】
さらに、記念日情報記憶部１５は、記念日通知を行う日時に関する情報を有している。ここで、該日時の情報は該記念日の月日との相対的な時刻によって記録しても、絶対的な時刻によって記録してもよい。
【００３２】
記念日通知設定手段１８によって通知日時を設定し、記念日通知手段１９によって記念日動画発注端末装置や記念日動画閲覧端末装置へと通知を行う。通知の方法としては、メール送信を用いる。また、端末装置が専用のプログラムを有している場合には、プッシュ通知などの手段を用いることもできる。これにより、該記念日の訪れを、任意のタイミングにてリマインドすることができる。
【００３３】
また、加えて、記念日を通知するためのメールアドレスなどの宛先情報を持ってもよい。これにより、発注者以外の閲覧者への記念日通知を行うことができる。
【００３４】
素材動画情報記憶部１６は、図３に示すように、素材動画を一意に識別するための素材動画ＩＤや、タイトル、素材動画が保管されているファイルパスなどの、素材動画に関する情報を有している。
なお、本実施形態においては、素材動画が保管されているファイルパスによって、素材動画に関する各種の情報と素材動画ファイルとを関連付けているが、素材動画ファイルを直接管理する構成としてもよい。
【００３５】
また、素材動画の属するジャンルや、タグなど、素材動画に関するさらなる付帯情報を有してもよい。これにより、素材動画の選択受付時のジャンルやタグによる絞り込みなど、利便性を向上する効果が期待できる。
【００３６】
動画ページ情報記憶部１７は、図４に示すように、動画ページを一意に識別するための動画ページＩＤと、該動画ページが公開されるＵＲＬ情報とを少なくとも有し、それらに素材動画ＩＤと記念日ＩＤとを関連付けることで、該動画ページに関する情報を有している。
【００３７】
なお、図４では、各動画ページのＵＲＬ情報をすべて記憶しているが、ここでの「http://www.example.com/」のように全ての動画ページのＵＲＬ情報が共通部分を有している場合には、それを省略した形態で記憶してもよい。これにより、ＵＲＬ情報のデータ量節減や、ドメイン変更時などの対応を容易にする効果が期待できる。
【００３８】
また、動画ページに表示するメッセージなど、動画ページに関する付加情報を有してもよい。このように動画ページに関する付加的な情報を持たせることにより、動画ページによる記念日の拡散を、より効果的なものにすることができる。
【００３９】
次いで、図５および図６に示すフローチャートを参照し、本実施形態における動画ページ作成および動画ページ公開に係るステップを説明する。
【００４０】
図５は、動画ページ作成ステップのフローチャートである。
まず、ステップＳ１１にて、記念日の名前、記念日の日付、記念日タイトル、発注者のメールアドレスなどの、記念日に係る情報を、記念日動画発注端末装置２より受信する。
【００４１】
また、ステップＳ１１にて、記念日情報を記念日動画発注端末装置２より直接受信するのではなく、記念日動画提供サーバ装置１の内部に設けた、あるいは外部に別途設けた、記念日動画の受注およびそれに係る代金の支払いに関する処理などを行うＥＣサイトを介して受信する構成としてもよい。このような構成をとることによって、記念日動画の受注、代金の支払い、動画ページの提供、という一連の処理を、よりスムーズに行うことができる。
【００４２】
そして、ステップＳ１２において、ステップＳ１１で受信した記念日に係る情報を、記念日情報記憶部１５へと記録する。この際、記念日を一意に識別するための、記念日ＩＤの生成、もしくは入力受付を行う。
【００４３】
ステップＳ１３では、素材動画情報記憶部１６に記憶された素材動画より、該記念日に関する動画ページにて使用する素材動画の選択を受け付ける。
ここで、素材動画情報記憶部１６が、前述したように素材動画の属するジャンルなどの付加情報を有する場合には、それによって素材動画の絞り込みを行う処理などを設けてもよい。
【００４４】
ステップＳ１４では、動画ページに関連付けるＵＲＬ情報を生成する。ここで、生成されるＵＲＬ情報には、ランダムな文字列が含まれることが好ましい。これにより、後に作成される動画ページへの予期せぬ第三者によるアクセスを困難にすることができる。
【００４５】
そして、ステップＳ１５にて、ステップＳ１２で生成した記念日ＩＤ、ステップＳ１３で選択された素材動画ＩＤ、およびステップＳ１４で生成したＵＲＬ情報を、動画ページ情報記憶部１７へと記録する。
【００４６】
最後に、ステップＳ１６にて、作成した動画ページのＵＲＬ情報などを、記念日動画発注者端末へと通知する。通知の手段としては、該記念日情報に含まれるメールアドレスへのメール送信などを用いる。
【００４７】
なお、ステップＳ１２にて記念日情報を記録する際など、任意のタイミングで、動画作成の中止を受け付けるステップを設けてもよい。これにより、誹謗中傷や公序良俗に反する情報が含まれるものなど、好ましくない記念日情報の登録を防止することができる。
【００４８】
このようにして通知された該動画ページのＵＲＬ情報を、発注者が自身のホームページや、ＳＮＳ、ブログ、マイクロブログ、メールなど、任意の手段を用いて拡散することにより、特定の、または不特定多数の閲覧者に対して、該動画ページの閲覧を促すことができる。
【００４９】
図６は、動画ページ公開ステップのフローチャートである。
まず、ステップＳ２１において、記念日動画閲覧端末装置３からの動画ページ公開要求を受け付ける。ここで、記念日動画閲覧端末装置３からの要求は、動画ページのＵＲＬ情報、および、後のステップ２４にて記念日動画閲覧端末装置３の種別を判定するための、端末情報を少なくとも有している。
【００５０】
続くステップＳ２２では、ステップＳ２１によって要求された動画ページに関する情報を、動画ページ情報記憶部１７より参照する。
【００５１】
そして、ステップＳ２３にて、動画ページ情報に含まれる素材動画ＩＤより、該動画ページにて使用される素材動画に関する情報を、素材動画情報記憶部１６より取得する。
【００５２】
ステップＳ２４では、ステップＳ２１にて記念日動画閲覧端末装置３より受け付けた要求に含まれる端末情報より、記念日動画閲覧端末装置３の端末種別を判定する。
【００５３】
記念日動画閲覧端末装置３の端末種別が、パーソナルコンピュータなど、ｍｐ４形式などの動画像ファイルの再生ができるものである場合には、ステップＳ２５にて、該動画ページで用いる素材動画に、ｍｐ４形式の動画像ファイルを指定する。
【００５４】
ステップＳ２４における判定にて、記念日動画閲覧端末装置３の端末種別が携帯電話やスマートフォンなど、動画像ファイルの再生ができない可能性のあるものの場合には、ステップＳ２６にて、該動画像ファイルをＧＩＦ形式のアニメーションファイルなどに変換した上で、該動画ページに用いる素材動画として指定する。これにより、ｍｐ４形式などの動画像ファイルが再生できない端末においても、該動画ページの閲覧を可能とすることができる。
【００５５】
また、このようにファイル形式を変換する際に、データ容量の縮小も同時に行えば、携帯電話やスマートフォンなどの通信量を抑える効果も期待できる。
【００５６】
なお、事前に用意したＧＩＦ形式のアニメーションファイルなども素材動画情報記憶部１６に備え、ステップＳ２６ではそのＧＩＦ形式のアニメーションファイルを指定する、という構成にしてもよい。
このような構成をとることにより、動画ページ公開ステップにおけるファイル形式変換に係る処理を省略でき、その処理時間の短縮をできる。
【００５７】
ステップＳ２７では、該動画ページ情報に含まれる記念日ＩＤよって、記念日情報記憶部１５から該動画ページに係る記念日情報を特定し、参照する。
【００５８】
そして、ステップＳ２８にて、ここまでのステップで得た情報より、動画ページを生成する。
【００５９】
ステップＳ２８にて生成された動画ページは、ステップＳ２９にて記念日動画閲覧端末装置３へと出力される。
【００６０】
ここで、記念日動画閲覧端末装置３のへと出力された動画ページでは、まず、図７（ａ）に示すように、素材動画が再生される。そして、該素材動画の再生終了後、図７（ｂ）に示すように、該記念日に関する情報が表示される。
【００６１】
図７（ｂ）にて表示される該記念日に関する情報は、該記念日の名称、日付の他に、記念日情報記憶部１５が、メッセージなどの該記念日に関するさらなる付帯情報を有している場合には、それらを合わせて表示する構成としてもよい。
【００６２】
また、素材動画の再生中に、該記念日に関する文字列などの情報を、重畳表示してもよい。
【００６３】
このように、それぞれが独立した素材動画と記念日情報とを、動画ページを表示する際に組み合わせることにより、複数の動画ページにて同一の素材動画を使用することなどが可能となり、動画情報記憶部１７に記憶された動画ページ数が増加していった場合にも、それらの保管に使用されるデータ領域を節減することができる。
【符号の説明】
【００６４】
１  記念日動画提供サーバ装置
１１  記念日情報受信手段
１２  動画ページ作成手段
１２１  記念日情報記録手段
１２２  素材動画選択手段
１２３  ＵＲＬ生成手段
１２４  動画ページ情報記録手段
１３  動画ページ情報通知手段
１４  動画ページ公開手段
１５  記念日情報記憶部
１６  素材動画情報記憶部
１７  動画ページ情報記憶部
１８  記念日通知設定手段
１９  記念日通知手段
２  記念日動画発注端末装置
３  記念日動画閲覧端末装置
４  ネットワーク
【図１】
2016031683.tif 000003
【図２】
2016031683.tif 000004
【図３】
2016031683.tif 000005
【図４】
2016031683.tif 000006
【図５】
2016031683.tif 000007
【図６】
2016031683.tif 000008
【図７】
2016031683.tif 000009